(57)【特許請求の範囲】
【請求項１】
顕微鏡の照明光の光軸上に配置されて前記顕微鏡での各種観察法に応じて選択切り換えられる複数の光学部品の種類を表示する顕微鏡の表示装置において、
前記複数の光学部品のうち前記観察法に応じた前記光学部品をターレット式又はスライド式により選択切り換えし、
前記ターレット式又は前記スライド式により選択切り換えられた前記光学部品に対応して当該光学部品の種類を表示する表示部を蓄光部材により形成し、
少なくとも選択切り換えされた前記光学部品以外の前記光学部品に対応する前記表示部を前記照明光にとって有効光束外となる光の照射位置に配置し、前記表示部を前記照明光の前記有効光束外となる前記光により励起する、
ことを特徴とする顕微鏡の表示装置。
【請求項２】
前記照明光を導光部材によって前記表示部に導くことを特徴とする請求項１記載の顕微鏡の表示装置。
【発明の詳細な説明】
【０００１】
【発明の属する技術分野】
本発明は、例えば明視野、暗視野、蛍光、偏光、微分干渉などの各観察法に応じて選択切り換えされる光学部品の種類を表示する顕微鏡の表示装置に関する。
【０００２】
【従来の技術】
顕微鏡を用いて標本を観察したり、標本の顕微鏡写真を撮影したりするには、その観察作業の周囲を暗くすることが多い。このため、顕微鏡では、例えば明視野、暗視野、蛍光、偏光、微分干渉などの各観察法に応じて選択切り換えされる光学部品の種類を表示する表示部が備えられているが、周囲の暗さにより表示部が見づらく、又は見えないこともある。
【０００３】
そこで、顕微鏡では、表示部にＬＥＤを使用し、周囲の暗い暗所においてＬＥＤを点灯して表示部を見易くしている。ところが、ＬＣＤを使用することによって、専用の電気回路が必要となり、高価になると共に電力の消費が避けられない。
【０００４】
このような問題を解決するために例えば特開平１０−１１１４５９号公報に記載されているような表示部の技術が開示されている。図１５はかかる表示部の構成図であって、プリント基板１上には、導体２が設けられたゴムシート状のキートップ３が配置され、このキートップ３上に蓄光パネル４が配置されている。そして、蓄光パネル４上には、この蓄光パネル４をキートップ３との間で挟み込む形で化粧パネル５が配置されている。これら蓄光パネル４及び化粧パネル５には、キートップ３のキー部分に対応させてそれぞれ孔６が形成されている。又、化粧パネル５は、透明なアクリル板から成り、その裏面は光を透過しない遮光層が印刷されている。そして、化粧パネル５は、キートップ３のキー部分の周縁部分がアクリル板がむき出しの状態となっており、下部の蓄光パネル４が見えるようになっている。
【０００５】
このような構成の表示部であれば、蓄光パネル４から発光する光が表示部の上面から確認できるようになっており、ＬＥＤによる照明に代えて蓄光材料により安価にでき、暗室でも表示部を見ることができる。
【０００６】
【発明が解決しようとする課題】
しかしながら、蓄光材料は、光の刺激を受けてそのエネルギーを吸収し、この吸収したエネルギーを可視光に変換して徐々に放出するので、光を発光させるのに光を照射して励起する必要がある。
【０００７】
このため、上記技術では、蓄光パネル４を励起するのに室内の照明等を使用するしかないので、室内の照明、例えば蛍光灯は蓄光材料を励起するのに光量が少なく、蓄光材料に光のエネルギーを吸収させるには時間がかかる。又、蓄光材料は、暗室でしばらく使用した後、再び室内の照明光を照射させなければならず煩雑である。
【０００８】
そこで本発明は、室内の照明光で励起する必要がなく、暗室でも見易くて使用しやすい顕微鏡の表示装置を提供することを目的とする。
【０００９】
【課題を解決するための手段】
請求項１によれば、顕微鏡の照明光の光軸上に配置されて顕微鏡での各種観察法に応じて選択切り換えられる複数の光学部品の種類を表示する顕微鏡の表示装置において、複数の光学部品のうち観察法に応じた光学部品をターレット式又はスライド式により選択切り換えし、ターレット式又はスライド式により選択切り換えられた光学部品に対応して当該光学部品の種類を表示する表示部を蓄光部材により形成し、少なくとも選択切り換えされた光学部品以外の光学部品に対応する表示部を照明光にとって有効光束外となる光の照射位置に配置し、表示部を照明光の有効光束外となる光により励起する顕微鏡の表示装置である。
【００１０】
請求項２によれば、請求項１記載の顕微鏡の表示装置において、照明光を導光部材によって表示部に導くものである。
【００１２】
【発明の実施の形態】
(1) 以下、本発明の第１の実施の形態について図面を参照して説明する。
【００１３】
図１は本発明の顕微鏡の表示装置を適用した顕微鏡の全体構成図である。
【００１４】
顕微鏡本体１０には、試料１１を載置するステージ１２が設けられている。又、顕微鏡本体１０には、ステージ１２の上方に対物レンズ１３を保持するレボルバ１４が設けられ、この対物レンズ１３の光軸（顕微鏡光路）１３ａ上にアダプタ１５を介して撮像装置１６が取り付けられている。
【００１５】
又、顕微鏡本体１０には、落射照明用光源１７が設けられ、この落射照明用光源１７から放射される照明光の光軸１７ａ上には、各レンズ１８〜２０を介してターレット式蛍光キューブカセット（以下、キューブカセットと省略する）２１が設けられている。
【００１６】
このキューブカセット２１は、複数、例えば２つのキューブ２２、２３が装着されている。このキューブは、明視野、暗視野、蛍光、偏光、微分干渉などの各種観察法に対応して用意されるもので、例えば明視野用のキューブはハーフミラーを、暗視野用のキューブは穴抜きミラーを光学部品として内蔵している。蛍光観察用のものはダイクロイックミラーと励起フィルタ、吸収フィルタを内蔵するが、これらの波長特性には種々のものがあるので、観察に使用する蛍光試薬に合わせてキューブを選択する必要がある。偏光、微分干渉用のものは、ハーフミラーに加えてアナライザを内蔵している。
【００１７】
図２はかかるキューブカセット２１を顕微鏡本体１０の上方から見た構成図であって、キューブカセット２１は、円柱状に形成され、回転中心軸２４を中心として矢印イ方向に回転自在に設けられ、２つのキューブ２２、２３を選択していずれか一方のキューブ２２又は２３を顕微鏡光路１３ａ上にセットするようになっている。これらキューブ２２、２３は、回転中心軸２４を介して対向する位置（１８０°の位置）にそれぞれアリ２２ａ、２３ａを介してキューブカセット２１に着脱自在に設けられている。又、キューブカセット２１には、図３に示すように照明光を通すための孔２４（２５）が各キューブ２２、２３ごとに形成されている。
【００１８】
このようなキューブカセット２１の外周上には、各キューブ２２、２３に対応して各表示部２６、２７が回転中心軸２４を介して対向する位置（１８０°の位置）にそれぞれ設けられている。これら表示部２６、２７は、顕微鏡光路１３ａにセットされているキューブ２２又は２３の種類を表示するもので、このうち一方の表示部２６はキューブ２２の種類を表示し、他方の表示部２７はキューブ２３の種類を表示するものとなっている。これら表示部２６、２７は、キューブ２２の種類の文字、例えば名称を蓄光塗料により印刷したものとなっている。
【００１９】
又、これら表示部２６、２７は、図３に示すように落射照明用光源１７から放射される照明光にとって有効光束外となる光の照射位置に配置されている。すなわち、図４は落射照明用光源１７からキューブカセット２１の光学系の模式図であって、落射照明用光源１７から放射された照明光は、各レンズ１８〜２０を通って平行光としてキューブカセット２１に入射する。このとき、キューブカセット２１の孔２５を通り、このキューブカセット２１から対物レンズ１３側に向かう光束を有効光束とするが、実際にはこの有効光束よりも径の大きい光束がキューブカセット２１に入射している。従って、キューブカセット２１の孔２５を通らない有効光束よりも外側の光束の位置に各表示部２６、２７が設けられている。
【００２０】
又、顕微鏡本体１０のカバー２８には、図５に示すように各キューブ２２、２３の各表示部２６、２７を観察者の表示せしめるための開口部２９が形成されている。
【００２１】
次に上記の如く構成された顕微鏡の表示装置の作用について説明する。
【００２２】
顕微鏡による観察法に応じてキューブカセット２１を回転させて例えばキューブ２３を顕微鏡光路１３ａにセットすると、このキューブ２３に対応する表示部２７が開口部２９に位置する。
【００２３】
これにより、観察者には、開口部２９を通して表示部２７を見ることができ、現在、顕微鏡光路１３ａにセットされているキューブ２３の種類として例えば名称が表示される。
【００２４】
一方、他方の表示部２６は、図４に示すように落射照明用光源１７から放射される照明光の有効光束よりも外側の光束の位置に配置され、この有効光束よりも外側の光束の照射を受けている。これにより、他方の表示部２６は、その蓄光材料が照明光の有効光束よりも外側の光束の照射を受けて励起される。
【００２５】
同様に、キューブカセット２１を回転させて例えばキューブ２２を顕微鏡光路１３ａにセットすると、このキューブ２２に対応する表示部２６が開口部２９に位置する。
【００２６】
これにより、観察者には、開口部２９を通して表示部２６を見ることができ、現在、顕微鏡光路１３ａにセットされているキューブ２２の種類として例えば名称が表示される。
【００２７】
このとき表示部２７は、落射照明用光源１７から放射される照明光の有効光束よりも外側の光束の位置に配置され、この有効光束よりも外側の光束の照射を受けている。これにより、他方の表示部２７は、その蓄光材料が照明光の有効光束よりも外側の光束の照射を受けて励起される。
【００２８】
このように上記第１の実施の形態においては、選択切り換えられたキューブ２２又は２３に対応する各表示部２６、２７を蓄光部材により形成し、これら表示部２６、２７を照明光にとって有効光束外となる光の照射位置に配置するようにしたので、顕微鏡光路１３ａにセットされていないキューブ２２又は２３に対応する表示部２６又は２７を顕微鏡の落射照明用の照明光によって光強度の強い光で励起でき、例えば顕微鏡を暗室で使用するときでも各表示部２６、２７を他の光を照射して励起する必要が無くなり、これにより表示部２６、２７が発光して暗室でもキューブ２２又は２３の種類が見易くて使用しやすいものにでき、顕微鏡において例えば明視野、暗視野、蛍光、偏光、微分干渉などの観察法うちどの観察法で試料１１を観察しているのか容易に分かる。
【００２９】
なお、上記第１の実施の形態では、各表示部２６、２７をキューブカセット２１に設けているが、各キューブ２２、２３にそれぞれ設けるようにしてもよい。
【００３０】
(2) 次に、本発明の第２の実施の形態について図面を参照して説明する。なお、顕微鏡の全体構成は図１に示す顕微鏡構成と同一であり、その同一部分には同一符号を付してその詳しい説明は省略する。
【００３１】
図６は本発明の顕微鏡表示装置を備えた顕微鏡のキューブカセットを顕微鏡本体の上方から見た構成図である。
【００３２】
キューブカセット２１は、４つのキューブ３０〜３３を選択していずれか一方のキューブ３０、３１、３２又は３３を顕微鏡光路１３ａ上にセットするようになっている。これらキューブ３０〜３３は、回転中心軸２４を中心にして９０°の角度毎にそれぞれアリ３４〜３７を介してキューブカセット２１に着脱自在に設けられている。なお、キューブカセット２１には、上記第１の実施の形態と同様に照明光を通すための孔が各キューブ３０〜３３ごとに形成されている。
【００３３】
このようなキューブカセット２１の外周上には、各キューブ３０〜３３に対応して各表示部３８〜４１が回転中心軸２４を介して対向する位置（１８０°の位置）にそれぞれ設けられている。これら表示部３８〜４１は、顕微鏡光路１３ａにセットされているキューブ３０〜３３の種類を表示するもので、このうち表示部３８はキューブ３０の種類を表示し、表示部３９はキューブ３１の種類を表示し、表示部４０はキューブ３２の種類を表示し、表示部４１はキューブ３３の種類を表示するものとなっている。これら表示部３８〜４１は、各キューブ３０〜３３の種類の文字、例えば名称を蓄光塗料により印刷したものとなっている。
【００３４】
一方、落射照明用光源１７及び各レンズ１８〜２０は、筒４２に内蔵されている。この筒４２の先端部には、照明光を開口部２９に表示されていない各表示部、図では各表示部３８、３９、４１に導くための導光部材である３本のファイバー４４〜４６が設けられている。これらファイバー４４〜４６の光入射口は、落射照明用光源１７から放射される照明光の有効光束よりも外側の光束の位置に配置され、かつ光出射口は、いずれか一つのキューブ３０〜３３が顕微鏡光路１３ａにセットされたときの各表示部３８〜４１に照明光が照射されるように配置されている。
【００３５】
次に上記の如く構成された顕微鏡の表示装置の作用について説明する。
【００３６】
顕微鏡による観察法に応じてキューブカセット２１を回転させて例えばキューブ３２を顕微鏡光路１３ａにセットすると、このキューブ３２に対応する表示部４０が開口部２９に位置する。これにより、観察者には、開口部２９を通して表示部４０を見ることができ、現在、顕微鏡光路１３ａにセットされているキューブ３２の種類として例えば名称が表示される。
【００３７】
このとき他の各表示部４１、３８、３９は、落射照明用光源１７から放射される照明光をそれぞれ各ファイバー４４、４５、４６に導かれて照射され、その蓄光材料が励起される。
【００３８】
同様に、キューブカセット２１を回転させて例えばキューブ３１を顕微鏡光路１３ａにセットすると、このキューブ３１に対応する表示部３９が開口部２９に位置する。これにより、観察者には、開口部２９を通して表示部３９を見ることができ、現在、顕微鏡光路１３ａにセットされているキューブ３１の種類として例えば名称が表示される。
【００３９】
このとき他の各表示部４０、４１、３８は、落射照明用光源１７から放射される照明光をそれぞれ各ファイバー４４、４５、４６に導かれて照射され、その蓄光材料が励起される。
【００４０】
このように上記第２の実施の形態においては、照明光を各ファイバー４４、４５、４６によって開口部２９に表示されていない各表示部、例えば各表示部３８、３９、４１に導くようにしたので、上記第１の実施の形態と同様に、顕微鏡光路１３ａにセットされていない例えばキューブ３０、３１、３３に対応する表示部３８、３９、４１を顕微鏡の落射照明用の照明光によって光強度の強い光で励起でき、これにより顕微鏡を暗室で使用するときでも各表示部３８〜４１を他の光を照射して励起する必要が無くなり、これにより各表示部３８〜４１が発光して暗室でも各キューブ３０〜３３の種類が見易くて使用しやすいものにでき、顕微鏡において例えば明視野、暗視野、蛍光、偏光、微分干渉などの観察法うちどの観察法で試料１１を観察しているのか容易に分かる。
【００４１】
又、顕微鏡の構成上、各表示部３８〜４１が顕微鏡の照明光に直接照射できることが困難な場合でも、現在開口部２９で表示している表示部以外の表示部を顕微鏡照明光で照射することができ、かつ各キューブ３０〜３３の配置の自由度も大きくできる。
【００４２】
(3) 次に、本発明の第３の実施の形態について図面を参照して説明する。なお、顕微鏡の全体構成は図１に示す顕微鏡構成と同一であり、かつ図７に示す部分と同一部分には同一符号を付してその詳しい説明は省略する。
【００４３】
図７は本発明の顕微鏡表示装置を備えた顕微鏡のキューブカセットを顕微鏡本体の上方から見た構成図である。
【００４４】
この表示装置は、上記第２の実施の形態の表示装置に加えて各ファイバー４７、４８を備えたものである。これらファイバー４７、４８は、照明光を開口部２９に表示される表示部、図では表示部４０に導くためのもので、その光入射口は、落射照明用光源１７から放射される照明光の有効光束よりも外側の光束の位置に配置され、かつ光出射口は、開口部２９の表示部４０に対して斜め前方にセットされ、照明光を表示部４０に対して斜め方向から照射されるように配置されている。
【００４５】
このような構成であれば、上記第２の実施の形態と同様に、顕微鏡光路１３ａにセットされていない例えばキューブ３０、３１、３３に対応する表示部３８、３９、４１を顕微鏡の落射照明用の照明光によって光強度の強い光で励起できるとともに、顕微鏡光路１３ａにセットされているキューブ３２に対応する表示部４０をも顕微鏡の落射照明用の照明光によって光強度の強い光で励起できる。
【００４６】
このように上記第３の実施の形態においては、顕微鏡光路１３ａにセットされているキューブ３２に対応する表示部４０をも顕微鏡の落射照明用の照明光によって励起するので、上記第２の実施の形態の効果作用に加えて、顕微鏡光路１３ａにセットされているキューブ３２に対応する表示部４０の表示をより確実なものにできる。
【００４７】
なお、上記第１乃至第３の実施の形態ではそれぞれキューブカセット２１を用いて各表示部２６、２７、３８〜４１を照明光の有効光束よりも外側の光束の位置に配置したり、ファイバー４４〜４８を用いたりしているが、これに限らずカバー２８の内面をメッキ等により鏡面に仕上げ、キューブカセット２１内を通過する照明光の有効光束よりも外側の光束を鏡面で反射させて各表示部２６、２７、３８〜４１に照射し、励起するようにしてもよい。
【００４８】
(4) 次に、本発明の第４の実施の形態について図面を参照して説明する。なお、顕微鏡の全体構成は図１に示す顕微鏡構成と同一であり、その同一部分には同一符号を付してその詳しい説明は省略する。
【００４９】
図８は本発明の顕微鏡表示装置を備えた顕微鏡の落射照明系を上方から見た構成図であり、図９は顕微鏡の光学系の構成図である。
【００５０】
照明光の光軸１７ａ上における各レンズ１９と２０との間には、各種観察法で選択して使用されるスライダー式フィルタ５０が挿脱自在に設けられている。このスライダー式フィルタ５０には、各種観察法に応じたフィルター本体５１が設けられている。このスライダー式フィルタ５０は、顕微鏡のカバー２８に設けられた案内用ガイド５２に従って挿脱され、かつ位置決め用ストッパー５３によってフィルター本体５１が照明光の光軸１７ａ上に位置決めされるものとなっている。
【００５１】
このスライダー式フィルタ５０には、図１０に示すように表示部５４が設けられている。この表示部５４は、顕微鏡光路１３ａにセットされるフィルター本体５１の種類を表示するもので、例えば光透過性のアクリル板を用い、このアクリル板上にフィルター５１の名称を蓄光塗料により印刷したものとなっている。この表示部５４の位置は、図９に示すように落射照明用光源１７から放射される照明光の有効光束よりも外側の光束の位置に配置されている。図１１はスライダー式フィルタ５０の具体的な構成を示しており、金属で形成されるスライダー式フィルタ本体枠５５に対してフィルター本体５１が保持されるとともに、アクリル板上にフィルター５１の名称を蓄光塗料により印刷した表示部５４が保持されている。
【００５２】
次に上記の如く構成された装置の作用について説明する。
【００５３】
顕微鏡による観察法に応じてスライダー式フィルタ５０が図１０に示すように照明光の光軸１７ａ上に挿入されると、表示部５４は落射照明用光源１７から放射される照明光の有効光束よりも外側の光束の照射を受けて励起される。
【００５４】
一方、スライダー式フィルタ５０が図１２に示すように照明光の光軸１７ａ上から抜き出されると、表示部５４が観察者から見れるようになり、このとき表示部５４は照明光の励起によって発光し、フィルター本体５１の種類を表示するものとなる。
【００５５】
このように上記第４の実施の形態においては、スライダー式フィルタ５０における照明光の有効光束よりも外側の光束の位置に表示部５４を設けたので、スライダー式フィルタ５０を挿入したときに照明光の有効光束よりも外側の光束により励起でき、かつスライダー式フィルタ５０を抜き出すと、表示部５４の発光によってフィルター本体５１の種類を表示できる。これにより、顕微鏡を暗室で使用するときでも表示部５４を他の光を照射して励起する必要が無くなり、表示部５４が発光して暗室でもフィルター本体５１の種類が見易くて使用しやすいものにでき、顕微鏡においてどの観察法で試料１１を観察しているのか容易に分かる。
【００５６】
(5) 次に本発明の第５の実施の形態について図面を参照して説明する。
【００５７】
図１３は上記図１に示す顕微鏡に用いるスライダー式フィルタ６０の構成図であって、同図(a)は正面図、同図(b)は断面図である。このスライダー式フィルタ６０は、第４の実施の形態のスライダー式フィルタ５０と同様に、照明光の光軸１７ａ上における各レンズ１９と２０との間に挿脱自在に設けられ、かつフィルター本体５１を保持するとともにこのフィルター本体５１の種類を表示する表示部５４が設けられている。このうち表示部５４は、スライダー式フィルタ６０を照明光の光軸１７ａ上に挿入したときに顕微鏡のカバー２８から外に出ている部分に設けられている。又、スライダー式フィルタ６０の内部には、照明光を導くための導光路６１が形成され、この導光路６１内に各ミラー６２、６３が配置されている。この導光路６１の光入射口は、落射照明用光源１７から放射される照明光の有効光束よりも外側の光束の照射を受ける位置となっている。
【００５８】
このような構成であれば、顕微鏡による観察法に応じてスライダー式フィルタ６０が顕微鏡の照明光の光軸１７ａ上に挿入されると、導光路６１の光入射口には、落射照明用光源１７から放射される照明光の有効光束よりも外側の光束が入射する。この照明光は、導光路６１内を進行し、各ミラー６２、６３で反射して表示部５４に照射される。これにより、フィルター本体５１の種類を表示する表示部５４を、スライダー式フィルタ６０を顕微鏡の照明光の光軸１７ａ上に挿入した状態で照明光によって励起でき、顕微鏡を暗室で使用するときでも表示部５４を他の光を照射して励起する必要が無くなり、表示部５４が発光して暗室でも確実にフィルター本体５１の種類が見易くなる。
【００５９】
(6) 次に本発明の第６の実施の形態について図面を参照して説明する。
【００６０】
図１４は上記図１に示す顕微鏡に用いるスライダー式フィルタの構成図である。
【００６１】
このスライダー式フィルタ７０は、２個のフィルター本体７１、７２を設け、これらフィルター本体７１、７２に対応する各表示部７３、７４を設けたものとなっている。この場合、表示部７３はフィルター本体７２側に設け、表示部７４はフィルター本体７１側に設ける。
【００６２】
このような構成であれば、スライダー式フィルタ７０が落射照明用光源１７から放射される照明光の光軸１７ａ上に挿入され、一方のフィルター本体７１が照明光の光軸１７ａ上にセットされると、一方の表示部７４は落射照明用光源１７から放射される照明光の有効光束よりも外側の光束の照射を受けて励起される。このとき他方の表示部７３は、顕微鏡のカバー２８の外側にあってセットされているフィルター本体７１の種類を表示する。
【００６３】
一方、フィルター本体７２が照明光の光軸１７ａ上にセットされると、他方の表示部７３は落射照明用光源１７から放射される照明光の有効光束よりも外側の光束の照射を受けて励起される。このとき一方の表示部７４は、顕微鏡のカバー２８の外側にあってセットされているフィルター本体７２の種類を表示する。
【００６４】
【発明の効果】
以上詳記したように本発明によれば、室内の照明光で励起する必要がなく、暗室でも見易くて使用しやすい顕微鏡の表示装置を提供できる。
【図面の簡単な説明】
【図１】本発明に係わる顕微鏡の表示装置の第１の実施の形態を備えた顕微鏡の全体構成図。
【図２】同表示装置を備えた顕微鏡のキューブカセットを顕微鏡本体の上方から見た構成図。
【図３】表示部の配置位置を示す図。
【図４】落射照明用光源からキューブカセットの光学系の模式図。
【図５】表示部を表示するための開口部を示す図。
【図６】本発明に係わる顕微鏡の表示装置の第２の実施の形態を備えた顕微鏡のキューブカセットを顕微鏡本体の上方から見た構成図。
【図７】本発明に係わる顕微鏡の表示装置の第３の実施の形態を備えた顕微鏡のキューブカセットを顕微鏡本体の上方から見た構成図。
【図８】本発明に係わる顕微鏡の表示装置の第４の実施の形態を備えた顕微鏡の落射照明系を上方から見た構成図。
【図９】同顕微鏡の光学系の構成図。
【図１０】スライダー式フィルタを挿入したときの表示部の位置を示す図。
【図１１】スライダー式フィルタの具体的な構成図。
【図１２】スライダー式フィルタを抜き出したときの表示部の位置を示す図。
【図１３】本発明に係わる顕微鏡の表示装置の第５の実施の形態を示すスライダー式フィルタの構成図。
【図１４】本発明に係わる顕微鏡の表示装置の第６の実施の形態を示すスライダー式フィルタの構成図。
【図１５】従来の顕微鏡の表示装置の構成図。
【符号の説明】
１０：顕微鏡本体、
１１：試料、
１２：ステージ、
１３：対物レンズ、
１４：レボルバ、
１５：アダプタ、
１６：撮像装置、
１７：落射照明用光源、
１８〜２０：レンズ、
２１：ターレット式蛍光キューブカセット、
２２，２３：キューブ、
２６，２７：表示部、
２８：カバー、
２９：開口部、
３０〜３３：キューブ、
３８〜４１：表示部、
４３：筒、
４４〜４６，４７，４８：ファイバー、
５０：スライダー式フィルタ、
５１：フィルター本体、
５２：案内用ガイド、
５３：位置決め用ストッパー、
５４：表示部、
６０：スライダー式フィルタ、
６１：導光路、
６２，６３：ミラー、
７０：スライダー式フィルタ、７１，７２：フィルター本体、
７３，７４：表示部。
【図１】
0004388158.tif 000002
【図２】
0004388158.tif 000003
【図３】
0004388158.tif 000004
【図４】
0004388158.tif 000005
【図５】
0004388158.tif 000006
【図６】
0004388158.tif 000007
【図７】
0004388158.tif 000008
【図８】
0004388158.tif 000009
【図９】
0004388158.tif 000010
【図１０】
0004388158.tif 000011
【図１１】
0004388158.tif 000012
【図１２】
0004388158.tif 000013
【図１３】
0004388158.tif 000014
【図１４】
0004388158.tif 000015
【図１５】
0004388158.tif 000016